(57)【要約】【課題】光や色等が変化する演出を低コストで実現できる表示装置又は演出装置を提供することを目的とする。【解決手段】本発明における表示装置（１）は、物理量を検出するセンサ部（２）と、前記センサ部に連なる複数の表示部（３）と、を有して構成され、前記センサ部にて検出された出力値に基づいて、各表示部の表示状態が制御されることを特徴とする。また、本発明における演出装置は、物理量を検出するセンサ部と、複数の演出機能部と、を有して構成され、前記センサ部にて検出された出力値を用いて所定の演算処理を行い、得られた演算値に基づいて、各演出機能部の動作状態が制御されることを特徴とする。【選択図】図１
2019197090.tif 000002
【特許請求の範囲】
【請求項１】
物理量を検出するセンサ部と、前記センサ部に連なる複数の表示部と、を有して構成され、前記センサ部にて検出された出力値に基づいて、各表示部の表示状態が制御されることを特徴とする表示装置。
【請求項２】
複数の前記センサ部が一列に配列されると共に、各センサ部に、夫々、複数の前記表示部が連なることを特徴とする請求項１に記載の表示装置。
【請求項３】
二次元格子又は三次元格子を構成する各格子軸の最端の一列に夫々、複数の前記センサ部が配置されており、各センサ部の交点に位置する各格子点に、前記表示部が配置されることを特徴とする請求項１又は請求項２に記載の表示装置。
【請求項４】
物理量を検出するセンサ部と、複数の演出機能部と、を有して構成され、
前記センサ部にて検出された出力値を用いて所定の演算処理を行い、得られた演算値に基づいて、各演出機能部の動作状態が制御されることを特徴とする演出装置。
【請求項５】
複数の演出機能部は、第一の演出機能部と第二の演出機能部を含み、
前記センサ部にて検出された出力値を用いて、前記第一の演出機能部と前記第二の演出機能部とが異なる動作状態に制御されることを特徴とする請求項４に記載の演出装置。
【請求項６】
二次元格子又は三次元格子を構成する各格子軸の最端の一列に夫々、複数の前記センサ部が配置されており、各センサ部の交点に位置する各格子点に、前記演出機能部が配置され、各格子点を構成する各センサ部にて検出された出力値の平均値に基づいて、各演出機能部の動作状態が制御されることを特徴とする請求項４又は請求項５に記載の演出装置。
【請求項７】
二次元格子又は三次元格子を構成する各格子軸の最端の一列に夫々、複数の前記センサ部が配置されており、各格子点を構成する各センサ部にて検出された出力値に、変数を乗じて得られた演算値に基づいて、各演出機能部の動作状態が制御されることを特徴とする請求項４又は請求項５に記載の演出装置。
【請求項８】
二次元格子又は三次元格子を構成する各格子軸の最端の一列に夫々、複数の前記センサ部が配置されており、各格子点を構成する各センサ部にて検出された出力値のうち、最大値或いは最小値に基づいて、各演出機能部の動作状態が制御されることを特徴とする請求項４又は請求項５に記載の演出装置。
【請求項９】
前記センサ部は、風速を検出することを特徴とする請求項１から請求項８のいずれかに記載の表示装置又は演出装置。
【発明の詳細な説明】
【技術分野】
【０００１】
この発明は、物理量を検出するセンサ部の出力値を利用した、表示装置及び演出装置に関する。
【背景技術】
【０００２】
例えば、下記の特許文献１に記載の発明のように、建物内の空間を、複数の小単位に分割し、各小単位での風向及び風速に関する風情報を取得し、建物内の気流をより正確に表示する気流表示装置が知られている。
【先行技術文献】
【特許文献】
【０００３】
【特許文献１】特開２０１７−１６３５８号公報
【発明の概要】
【発明が解決しようとする課題】
【０００４】
このように、特許文献１に記載の発明は、建物内の気流を正確に知るための気流の表示装置であり、気流情報を基に、イルミネーションを施したり、動的な演出を実行する等の実施例は開示されていない。
【０００５】
そこで本発明は、上記問題に鑑みてなされたもので、様々な演出が実現できる表示装置及び演出装置を提供することを目的とする。
【課題を解決するための手段】
【０００６】
本発明における表示装置は、物理量を検出するセンサ部と、前記センサ部に連なる複数の表示部と、を有して構成され、前記センサ部にて検出された出力値に基づいて、各表示部の表示状態が制御されることを特徴とする。
【０００７】
本発明では、複数の前記センサ部が一列に配列されると共に、各センサ部に、夫々、複数の前記表示部が連なることが好ましい。
【０００８】
本発明では、二次元格子又は三次元格子を構成する各格子軸の最端の一列に夫々、複数の前記センサ部が配置されており、各センサ部の交点に位置する各格子点に、前記表示部が配置される構成とすることができる。
【０００９】
本発明における演出装置は、物理量を検出するセンサ部と、複数の演出機能部と、を有して構成され、前記センサ部にて検出された出力値を用いて所定の演算処理を行い、得られた演算値に基づいて、各演出機能部の動作状態が制御されることを特徴とする。
【００１０】
本発明では、複数の演出機能部は、第一の演出機能部と第二の演出機能部を含み、前記センサ部にて検出された出力値を用いて、前記第一の演出機能部と前記第二の演出機能部とが異なる動作状態に制御されることが好ましい。
【００１１】
本発明では、二次元格子又は三次元格子を構成する各格子軸の最端の一列に夫々、複数の前記センサ部が配置されており、各センサ部の交点に位置する各格子点に、前記演出機能部が配置され、各格子点を構成する各センサ部にて検出された出力値の平均値に基づいて、各演出機能部の動作状態が制御される構成とすることができる。
【００１２】
本発明では、二次元格子又は三次元格子を構成する各格子軸の最端の一列に夫々、複数の前記センサ部が配置されており、各センサ部の交点に位置する各格子点に、前記演出機能部が配置され、各格子点を構成する各センサ部にて検出された出力値に、変数を乗じて得られた演算値に基づいて、各演出機能部の動作状態が制御される構成とすることができる。
【００１３】
本発明では、二次元格子又は三次元格子を構成する各格子軸の最端の一列に夫々、複数の前記センサ部が配置されており、各センサ部の交点に位置する各格子点に、前記演出機能部が配置され、各格子点を構成する各センサ部にて検出された出力値のうち、最大値或いは最小値に基づいて、各演出機能部の動作状態が制御される構成とすることができる。
【００１４】
本発明では、前記センサ部は、風速を検出することが好ましい。
【発明の効果】
【００１５】
本発明の表示装置及び演出装置によれば、センサ部にて検出された出力値を利用して、様々な演出を実現することができる。
【図面の簡単な説明】
【００１６】
【図１】第１実施形態における表示装置の平面図である。
【図２】本実施形態の表示装置に用いられる風速センサの回路図である。
【図３】第２実施形態における表示装置の平面図である。
【図４】第２実施形態における表示装置を用いた応用例を示す概略斜視図である。
【図５】第３実施形態における表示装置の平面図である。
【図６】第３実施形態の表示装置における、各格子点での演算値の算出方法、及び光や色等が変化する演出を説明する一例である。
【図７】第３実施形態の表示装置における、各格子点での演算値の算出方法、及び光や色等が変化する演出を説明する一例である。
【図８】第３実施形態の表示装置における、各格子点での演算値の算出方法、及び光や色等が変化する演出を説明する一例である。
【図９】第３実施形態の表示装置における、各格子点での演算値の算出方法、及び光や色等が変化する演出を説明する一例である。
【図１０】第３実施形態の表示装置における、表示状態の一例を示す平面図である。
【図１１】第４実施形態における表示装置の概略斜視図である。
【図１２】他の実施形態における表示装置の構成を説明するための概略斜視図である。
【図１３】第４実施形態の表示装置における、Ｚ軸、Ｘ軸、Ｙ軸での各センサの測定値を説明するためのグラフである。
【図１４】図１３に示す各測定値を用いて、Ｚ軸の階層別におけるＸＹ平面の各格子点での演算値、及び光や色等が変化する演出の一例である。
【図１５】第５実施形態の演出装置の動的な演出を説明するための概念図である。
【図１６】図１５Ｂに示す動的な演出の画面表示を示す概念図である。
【図１７】三次元での動的な演出を画面に映し出した画面表示を示す概念図である。
【発明を実施するための形態】
【００１７】
以下、本発明の一実施形態（以下、「実施形態」と略記する。）について、詳細に説明する。なお、本発明は、以下の実施形態に限定されるものではなく、その要旨の範囲内で種々変形して実施することができる。
【００１８】
上記に挙げた特許文献１は、気流の測定結果を表示する表示装置であり、気流を正確に表示するには、その前提として気流を正確に測定しなければいけない。また、その測定範囲は広範にわたるほど、より正確な表示となる。
【００１９】
これに対して、本実施形態は、イルミネーションや動的な演出等を実行可能な表示装置或いは演出装置である。本実施形態においても風の検知はするが、風情報は、特許文献１のような検査用や測定用とは異なる、演出に特化したアプリケーションに利用される。以下に、本実施形態の表示装置の構成を具体的に説明する。
【００２０】
図１は、第１実施形態における表示装置の平面図である。図２は、本実施形態の表示装置に用いられる風速センサの回路図である。
【００２１】
図１に示すように、第１実施形態における表示装置１は、センサ部２と、風速センサ部に連なる複数の表示部３と、を有して構成される。
【００２２】
図１に示す表示装置１では、センサ部２は、一つであり、複数の表示部３が、センサ部２を先頭に、多連接続された一次元配置とされる。
【００２３】
図１に示すセンサ部２は、例えば、風速センサである。図２の回路図を用いて、風速の測定原理の一例を説明する。
【００２４】
図２に示すように、風速センサは、流速検知用抵抗素子１３と、温度補償用抵抗素子１４と、抵抗器１６、１７とでブリッジ回路１８を構成している。図２に示すように、流速検知用抵抗素子１３と抵抗器１６とで第１の直列回路１９を構成し、温度補償用抵抗素子１４と抵抗器１７とで第２の直列回路２０を構成している。そして、第１の直列回路１９と第２の直列回路２０とが、並列に接続されてブリッジ回路１８を構成している。
【００２５】
図２に示すように、第１の直列回路１９の出力部２１と、第２の直列回路２０の出力部２２とが、夫々、差動増幅器（アンプ）２３に接続されている。ブリッジ回路１８には、差動増幅器２３を含めたフィードバック回路２４が接続されている。フィードバック回路２４には、トランジスタ（図示せず）等が含まれる。
【００２６】
抵抗器１６、１７は、流速検知用抵抗素子１３、及び温度補償用抵抗素子１４よりも抵抗温度係数（ＴＣＲ）が小さい。流速検知用抵抗素子１３は、例えば、所定の周囲温度よりも所定値だけ高くなるように制御された加熱状態で、所定の抵抗値Ｒｓ１を有し、また、温度補償用抵抗素子１４は、例えば、前記の周囲温度にて、所定の抵抗値Ｒｓ２を有するように制御されている。なお、抵抗値Ｒｓ１は、抵抗値Ｒｓ２よりも小さい。流速検知用抵抗素子１３と第１の直列回路１９を構成する抵抗器１６は、例えば、流速検知用抵抗素子１３の抵抗値Ｒｓ１と同様の抵抗値Ｒ１を有する固定抵抗器である。また、温度補償用抵抗素子１４と第２の直列回路２０を構成する抵抗器１７は、例えば、温度補償用抵抗素子１４の抵抗値Ｒｓ２と同様の抵抗値Ｒ２を有する固定抵抗器である。
【００２７】
無風状態から風が吹くと、風は、検知面に配置された流速検知用抵抗素子１３に到達する。このとき、発熱抵抗である流速検知用抵抗素子１３の温度は低下するため、流速検知用抵抗素子１３が接続された第１の直列回路１９の出力部２１の電位が変動する。これにより、差動増幅器２３により差動出力が得られる。そして、フィードバック回路２４では、差動出力に基づいて、流速検知用抵抗素子１３に駆動電圧を印加する。制御部（マイコン）（図示せず）では、流速検知用抵抗素子１３の加熱に要する電圧の変化に基づき、風速を換算し出力することができる。風速が変化すると、それに伴い、流速検知用抵抗素子１３の温度が変化するため、風速を検知することができる。
【００２８】
表示部３は、例えば、ＬＥＤ（Ｌｉｇｈｔ  Ｅｍｉｔｔｉｎｇ  Ｄｉｏｄｅ）であるが、本実施形態では、既存の発光素子を表示部３に用いることができる。
【００２９】
図１に示す実施形態では、センサ部２が、風を受けると、センサ部２にて出力が得られる。そして、その出力値に基づいて、各表示部３の表示状態を制御することができる。
【００３０】
例えば、出力の取得に同期して、各表示部３を光らせることができる。このとき、各表示部３の光り方を一様にしてもよいし、異ならせることも可能である。例えば、センサ部２に最も近い表示部３から最も遠い表示部３にかけてグラデーションを付けて光らすことができ、或いは、各表示部３にてタイミングをずらしながら光らせることも可能である。なお、ここに挙げた表示状態は、あくまでも一例である。
【００３１】
また、センサ部２にて検出した出力値を保存しておき、任意のタイミングで、その出力値に基づいて、表示部３の表示状態を制御することもできる。例えば、無風状態が続くような環境下に置かれた場合でも、保存した出力値を用いて、表示部３を所定の表示状態に制御することができる。
【００３２】
図１に示す表示装置１では、センサ部２にて検出した出力値をそのまま利用して、各表示部３の表示状態を制御してもよいし、或いは、出力値に任意の演算処理を施して、各表示部３の表示状態を制御してもよい。例えば、センサ部２にて検出した出力値が、「１０」であるとする。このとき、センサ部２に最も近い表示部３は、出力値「１０」にて、表示状態が制御されるようにし、センサ部２から離れる表示部３ほど、出力値を１ずつ減らした制御を行う。また、時間に応じて、各表示部３の出力値が変化するように、制御してもよい。そして、出力値に応じて、色相が異なるように制御することで、センサ部２に連なる複数の表示部３の表示の色相を異ならせることができる。
【００３３】
なお、図１に示す実施形態では、センサ部２にも、表示部としての、例えば、ＬＥＤを設けることができる。このように、センサ部２に表示部を兼用させる構成は、以下の実施形態においても同様に適用することができる。
【００３４】
図３に示す第２実施形態の表示装置１０は、図１に示した表示装置１を複数並設して構成したものである。
【００３５】
図３に示すように、Ｙ方向に、間隔を空けて、複数のセンサ部２が配置される。各センサ部２は、夫々、電気的に接続されていることが好ましい。そして、各センサ部２に、複数の表示部３が、Ｘ方向に連なって配置されている。これにより、複数の表示部３がＸＹ平面にマトリクス状に配置される。
【００３６】
図３に示すように、センサ部２は、制御ボックス１１に電気的に接続されている。また、制御ボックス１１は、パーソナルコンピュータ１２に電気的に接続されている。図３では、図示左上側のセンサ部（１）が、制御ボックス１１に接続された構成である。このため、各センサ部２で検出された出力値、及び、制御ボックス１１からの制御信号は、図示左上側のセンサ部（１）を介して、各センサ部２との間で送受信が行われる。各センサ部２が、夫々、制御ボックス１１に電気的に接続されていてもよいが、センサ部２の数が増えると、全てのセンサ部２を制御ボックス１１へ接続することが困難になる。このため、一つのセンサ部２を介して信号の送受信を行うようにすることが、回路制御上、好ましい。
【００３７】
図３では、制御ボックス１１が外付けされているが、パーソナルコンピュータ１２内の制御部が、制御ボックス１１の機能を兼ねていてもよいし、図示左上側のセンサ部２に、制御ボックス１１の機能が内蔵されていてもよい。
【００３８】
各センサ部２にて検知された出力値は、制御ボックス１１に集約される。制御ボックス１１では、各出力値に基づいて、各表示部３の表示状態を制御する。
【００３９】
例えば、制御ボックス１１は、各出力値を用いて所定の演算処理を行い、演算値を各表示部３に割り振る。例えば、図３のセンサ部（１）で得られた出力値が「５」、図３のセンサ部（２）で得られた出力値が「３」、図３のセンサ部（３）で得られた出力値が「１」であったとする。
【００４０】
このとき、表示部（４）の演算値を「５」、表示部（５）の演算値を、出力値「５」と出力値「３」の平均である「４」、表示部（６）の演算値を、出力値「３」と出力値「１」の平均である「２」等として、各表示部３に任意の演算処理に基づく演算値を割り振る。
【００４１】
或いは、センサ部（１）で得られた出力値は、センサ部（２）或いはセンサ部（３）に連なる表示部３の表示状態の制御にのみ利用される等、センサ部２の出力が、そのセンサ部２に直接連なる表示部３の表示制御に利用されず、隣の列の表示部３、或いは更に離れた列の表示部３の表示制御に利用されるものであってもよい。
【００４２】
制御ボックス１１には、例えば、演算値と表示状態との関係を示すテーブルが記憶されている。演算値に基づいて、各表示部３に表示信号を送信する。これにより、各表示部３では、所定の表示がなされる。
【００４３】
パーソナルコンピュータ１２には、いくつかの光演出や色演出パターンが保存されており、使用者は、光や色等が変化する演出パターンを自由に選択することができる。制御ボックス１１は、演出パターンに基づく上記テーブルに基づいて、各表示部３の表示状態を制御する。
【００４４】
図１及び図３に示すように、本実施形態では、風を受けて、センサ部２で検知した出力値を用いて、任意の演算処理を行い、各表示部３に演算値を割り振り、各演算値に紐付けられた表示状態を、各表示部３で実行する。このため、表示部３で得られる表示状態は、風を受けて変化する出力値に基づいて、光や色等が変化する演出が可能になり、エンターテイメント性を高めることができる。本実施形態では、例えば、風速の変化に応じて、表示状態に変化を与えることができる。ただし、風速の変化と表示状態とを必ずしも連動させる必要はなく、タイミングをずらしたりすることも可能である。
【００４５】
また、本実施形態では、センサ部２を、表示領域の端にのみ設け、センサ部２の数を、最小限に抑えることができる。図１では、センサ部２が一つであり、図３では、ＸＹマトリクスにおいて、端の一列のみセンサ部２が配置される。このように、センサ部２を全ての表示部３の位置に配置せず、端にのみ配置するため、低コスト化を実現することができる。
【００４６】
図４Ａ及び図４Ｂは、第２実施形態における表示装置１０を用いた応用例を示す概略斜視図である。
【００４７】
図４Ａでは、センサ部２を図示左端に配置し、センサ部２に連なる複数の表示部３を波状に配置している。なお、図４Ａに示す点線は、表示装置１０の外枠を示しており、外枠内には、複数の表示部３がマトリクス状に波打つように配置されている。図３では、光や色等が変化する演出が平面的であるが、図４Ａでは、該演出に立体感を持たせることができる。
【００４８】
或いは、図４Ｂに示すように、図３に示す表示装置１０をアーチ状に湾曲させて配置する。図４Ｂに示す左端の一列に、センサ部２が配置され、多数の表示部３からなるトンネルが形成される。トンネルは、通行人が通ることができる程度の大きさである。これにより、光のトンネルを形成することができる。光のトンネルにあっては、例えば、トンネルに風が当たった時に、色相を変化させるような光や色等が変化する演出では、トンネルの所定箇所でのみ風を検知し、その際の出力を、トンネル全体の表示領域に対する色相の制御に利用することができる。すなわち、トンネル全体で風情報を検知せずとも、特定の箇所だけで風情報が得られれば足りる。そして、風速センサにて検出された出力値に対し、後述するような様々な演算処理を実行することで、様々な光演出を行うことが可能である。
【００４９】
図５に示す第３実施形態では、二次元格子の一番端に当たるＸ軸とＹ軸に、間隔を空けて複数のセンサ部２を配置している。そして、各センサ部２の交点に位置する格子点の位置に、表示部３を配置している。
【００５０】
各表示部３は、Ｘ軸に位置するセンサ部２、及びＹ軸に位置するセンサ部２の双方に電気的に接続されることが好ましい。すなわち、図５に示すように、例えば、表示部（７）は、表示部（７）の座標を構成する、Ｘ軸に位置するセンサ部Ｘ１と、Ｙ軸に位置するセンサ部Ｙ１の双方に電気的に接続されている。
【００５１】
図５に示す実施形態では、各格子点の座標を構成する格子軸上のセンサ部２にて検出された出力値を用いて、所定の演算処理を行うことができる。演算処理方法について説明する。
【００５２】
図６では、演算処理として各センサ部２にて取得された出力値の平均値を用いる。図６に示すＸ軸方向の最も上段に２０個のセンサ部が並んでいる（Ｘ座標として「１」〜「２０」までの数値を記載した）。また、図６に示すＹ軸方向の最も左端に、２０個のセンサ部が並んでいる（Ｙ座標として「１」〜「２０」までの数値を記載した）。
【００５３】
座標（１、１）では、Ｘ軸のセンサ部２の出力値は、「１．８７８」であり、Ｙ軸のセンサ部２の出力値は、「１．９４５」であるため、座標（１、１）での演算値（平均値）は、「１．９１１」（小数点第４位以下切り捨て）である。また、座標（１、２）では、Ｘ軸のセンサ部２の出力値は、「１．８７８」であり、Ｙ軸のセンサ部の出力値は、「１．７８６」であるため、座標（１、２）での演算値（平均値）は、１．８３２である。このように、全格子点にて平均値を算出する。その演算データが、図６に示されている。そして、演算データに基づいて、各表示部３の表示状態を制御する。図６に示す二次元格子上に、模様が現れているが、この模様は、各格子点での演算データに基づいて、表示状態を制御した光や色等が変化する演出表示の一例である。
【００５４】
なお、図６に示すように二次元格子のＸ軸及びＹ軸の端に、各センサ部２を配置した場合、各格子点における平均値の計算式（１）は、以下の通りである。
【００５５】
【数１】
2019197090.tif 000003
【００５６】
また、後述する三次元格子である場合、平均値の計算式（２）は、以下の通りである。
【００５７】
【数２】
2019197090.tif 000004
【００５８】
次に、図７Ａ及び図７Ｂでは、演算処理として、各センサ部２にて取得された出力値を重み付けしている。図７Ａ及び図７Ｂにおいても、図６と同様に、Ｘ軸方向の最も上段、及びＹ軸方向の最も左端に、夫々、２０個のセンサ部を並べた。また、各センサ部２にて検出された出力値は、図６と同じにした。
【００５９】
二次元格子において、重み係数を用いた場合の、計算式（３）は、以下の通りである。
【００６０】
【数３】
2019197090.tif 000005
なお、Ｘｘ及びＹｙは、計算式（１）で説明した通りである。
【００６１】
また、後述する三次元格子において、重み係数を用いた場合の、計算式（４）は、以下の通りである。
【００６２】
【数４】
2019197090.tif 000006
なお、Ｘｘ、Ｙｙ及びＺｚは、計算式（２）で説明した通りである。
【００６３】
図７Ａには、二次元格子において、重み係数ＧＸを、０．２５、重み係数ＧＹを、０．７５とした際の各格子点の演算データと、その演算データに基づいて表示される光や色等が変化する演出表示の一例と、を示す。
【００６４】
図７Ｂには、二次元格子において、重み係数ＧＸを、０．７５、重み係数ＧＹを、０．２５とした際の各格子点の演算データと、その演算データに基づいて表示される光や色等が変化する演出表示の一例と、を示す。
【００６５】
図７Ａでは、Ｙ軸方向の重み係数を大きくしており、図７Ｂでは、Ｘ軸方向の重み係数を大きくしている。この結果、図７Ａと図７Ｂとでは、強調される模様が夫々、異なる方向に表示されることがわかる。
【００６６】
次に、図８Ａ及び図８Ｂでは、演算処理として、各格子点を構成するＸ軸及びＹ軸のセンサ部２の出力値のうち、最大値、或いは最小値を用いる。図８Ａ及び、図８Ｂにおいても、図６と同様に、Ｘ軸方向の最も上段、及びＹ軸方向の最も左端に、夫々、２０個のセンサ部が並んでいる。Ｙ軸に並ぶセンサ部の出力値は、図６と同じとしたが、Ｘ軸に並ぶセンサ部の出力値は、図６と若干異なる。
【００６７】
図８Ａには、各格子点を構成するＸ軸及びＹ軸のセンサ部２の出力値のうち、最大値を用いた場合の、各格子点の演算データと、その演算データに基づいて表示される表示状態の一例と、を示す。
【００６８】
二次元格子において、出力の最大値を用いた場合の、計算式（５）は、以下の通りである。
【００６９】
【数５】
2019197090.tif 000007
なお、Ｘｘ及びＹｙは、計算式（１）で説明した通りである。
【００７０】
また、後述する三次元格子において、出力の最大値を用いた場合の、計算式（６）は、以下の通りである。
【００７１】
【数６】
2019197090.tif 000008
なお、Ｘｘ、Ｙｙ及びＺｚは、計算式（２）で説明した通りである。
【００７２】
次に、図８Ｂには、各格子点を構成するＸ軸及びＹ軸のセンサ部２の出力値のうち、最小値を用いた場合の、各格子点の演算データと、その演算データに基づいて表示される表示状態の一例と、を示す。
【００７３】
二次元格子において、出力値の最小値を用いた場合の、計算式（７）は、以下の通りである。
【００７４】
【数７】
2019197090.tif 000009
なお、Ｘｘ、及びＹｙは、計算式（１）で説明した通りである。
【００７５】
また、後述する三次元格子において、出力値の最小値を用いた場合の、計算式（８）は、以下の通りである。
【００７６】
【数８】
2019197090.tif 000010
なお、Ｘｘ、Ｙｙ及びＺｚは、計算式（２）で説明した通りである。
【００７７】
図８Ａ及び図８Ｂに示すように、出力値の最大値を用いるか、或いは、最小値を用いるかで、光や色等が変化する演出表示を変えることができる。
【００７８】
図９では、演算処理として、各格子点を構成するＸ軸及びＹ軸のセンサ部２にて検出された出力値の、積の平方根を用いる。図９においても、図６と同様に、Ｘ軸方向の最も上段、及びＹ軸方向の最も左端に、夫々、２０個のセンサ部２が並んでいる。Ｙ軸に並ぶセンサ部の出力値は、図６と同じとしたが、Ｘ軸に並ぶセンサ部の出力値は、図６と若干異なる。
【００７９】
二次元格子において、各出力値の積の平方根を用いた場合の、計算式（９）は、以下の通りである。
【００８０】
【数９】
2019197090.tif 000011
なお、Ｘｘ、及びＹｙは、計算式（１）で説明した通りである。
【００８１】
また、後述する三次元格子において、各出力値の積の平方根を用いた場合の、計算式（１０）は、以下の通りである。
【００８２】
【数１０】
2019197090.tif 000012
なお、Ｘｘ、Ｙｙ及びＺｚは、計算式（２）で説明した通りである。
【００８３】
図９には、各出力値の積の平方根を用いた場合の、各格子点の演算データと、その演算データに基づいて表示される表示状態の一例と、を示す。
【００８４】
図６から図９に示す演算処理方法により、得られる光や色等が変化する演出表示はいずれも異なるものとなる。どのような演算処理方法及び表示状態とするかは、使用者がパーソナルコンピュータ１２（図３参照）上で種々選択することができる。
【００８５】
なお、図６から図９に示す演算処理方法は、一例にすぎず、他の演算処理方法を適用することが可能である。
【００８６】
例えば、図１０では、各表示部３を備えるＸＹマトリクスの表示領域に、「Ｔ」の文字が浮かび上がるように、制御されている。
【００８７】
図１０では、例えば、風の強さに応じて、「Ｔ」の文字の画素位置に配置される表示部３の、明るさが変化したり、明滅スピードが変ったり、色が変化する等、表示状態を変化させることができる。
【００８８】
このように、特定の画素位置の表示部３と、他の画素位置の表示部３とを区別して、表示状態を制御することが可能である。
【００８９】
図１１は、第４実施形態における表示装置２５の概略斜視図である。図１１に示すように、センサ部２は、三次元格子を構成するＸ軸、Ｙ軸及びＺ軸の最端の一列に、夫々、複数配置される。図１１では、センサ部２を丸で示した。そして、各センサ部２の交点に位置する各格子点に、表示部３が配置されている。図１１では、表示部３を四角で示した。
【００９０】
図１１には、ＸＺ平面での複数の表示部３のマトリクス配置を図示している。他の面においても、同様に、複数の表示部３をマトリクス配置することができる。すなわち、立体を構成する６面に、夫々、表示部３をマトリクス配置することができる。例えば、図１１に示す下面Ｂには、Ｘ軸及びＹ軸の端にセンサ部２が配置されていないが、下面Ｂと対向する上面Ａの端に配置されたセンサ群Ｃ、Ｄと、Ｚ軸の最も下側に配置されたセンサ部Ｆの各出力値を用いて、表示状態を制御することができる。図１１に示す左側面、及び背面についても、上記に準じた方法で、表示状態を制御することができる。
【００９１】
図１１に示す三次元配置においても、各格子点での出力値の演算方法には、例えば、図６から図９に示す演算方法を用いることができる。
【００９２】
図１１に示す三次元配置により、立体面の夫々に、表示部３を配置でき、各立体面で、表示状態を異ならせるなど、多様な光や色等が変化する演出が可能になり、エンターテイメント性を効果的に高めることができる。
【００９３】
図１２に示す他の実施形態では、Ｘ軸及びＹ軸の各列に夫々、センサ部２を配置している。図１２では、センサ部２を丸で示した。また、各センサ部２に複数の表示部３がＺ軸方向に連なって配置されている。図１２では、表示部３を四角で示した。例えば、図１に示す表示装置１を用い、センサ部２を上端に配置して、Ｘ軸方向及びＹ軸方向に、複数の表示装置１を、間隔を空けて吊るすことができる。なお、センサ部２を下端に配置してもよい。例えば、野外で、すだれのように吊るすことで、光のカーテンを構成することができる。
【００９４】
図１３は、図１１に示す三次元格子の表示装置２５を用いたときの、各軸上に配置されたセンサ部２の出力値を示す。
【００９５】
図１４は、図１３に示す各出力値を用いて、Ｚ軸の階層別におけるＸＹマトリクスの各格子点での演算データ、及び、光や色等が変化する演出表示の一例である。
【００９６】
図１３Ａに示すように、Ｚ軸方向には、７個のセンサ部２を配置し、図１３Ｂ及び、図１３Ｃに示すように、Ｘ軸及びＹ軸には、夫々２０個のセンサ部２を配置した。
【００９７】
図１３Ａでは、Ｚ軸方向に向けて、センサ部２の出力値が直線的に変化している。一方、図１３Ｂ及び図１３Ｃでは、Ｘ軸方向及びＹ軸方向に向けて、センサ部２の出力値が波状に変化している。
【００９８】
これら出力値に基づいて、Ｚ軸の階層別におけるＸＹ平面の各格子点での出力値を演算した。演算方法には、上記の（２）の計算式を用いた。図１４には、各格子点での演算値とともに、演算値に基づく光や色等が変化する演出表示の一例を示す。
【００９９】
このように、Ｚ軸方向の各階層で、異なる光や色等が変化する演出表示が可能であり、少ないセンサ数により低価格で、エンターテイメント性に優れた表示装置を提供することができる。
【０１００】
また、二次元格子及び三次元格子の各構成においては、図５及び図１１に示すように、各表示部３は、Ｘ軸方向及びＹ軸方向にて、隣の表示部３、及び、ひいては、Ｘ軸上のセンサ部２及びＹ軸上のセンサ部２と電気的に接続されることが好ましい。
【０１０１】
例えば、Ｘ軸方向の電気的接続が途中で切断されても、Ｙ軸方向の電気的接続が良好であれば、制御ボックスとの間で、Ｙ軸方向の配線を通じて、信号の送受信が可能である。
【０１０２】
また、本実施形態では、図３や図５に示すＸＹ平面に、多数の表示部３がマトリクス状に配置された表示装置を、屋外の地面や、屋内の床等に敷くことで、足元一面に広がる、イルミネーションが可能になる。
【０１０３】
図１５Ａは、第５実施形態の演出装置の動的な演出を説明するための概念図であり、初期状態（基本状態）を示す。また、図１５Ｂは、図１５Ａに示す演出装置を用い、動的な演出が行われた状態を示す概念図である。
【０１０４】
図１５Ａに示す演出装置３０は、一列に配列された複数の演出機能部３１と、センサ部３２と、を有して構成される。
【０１０５】
各演出機能部３１は、例えば、Ｚ方向（高さ方向）に伸縮可能なスティックであり、図１５Ａに示す初期状態では、各演出機能部３１の高さが一定とされている。
【０１０６】
センサ部３２から、風情報に基づく出力値が、演出機能部３１に送られる。センサ部３２から演出機能部３１への出力送信は、有線であっても無線であってもどちらでもよい。
【０１０７】
図１５Ａでは、センサ部３２の数は、演出機能部３１の数より少なくされている。
【０１０８】
本実施形態では、センサ部３２の出力値に基づいて、各演出機能部３１に送る出力値を演算し、演算値に基づいて、各演出機能部３１の動作状態を制御することができる。演算方法を限定するものではないが、各演出機能部３１が、二次元格子又は三次元格子のマトリクス配置であるとき、上記に記載した、各格子点を構成する各センサ部にて検出された出力値の平均値を用いる方法、出力値に変数を乗じて得られた演算値を用いる方法、出力値のうち、最大値或いは最小値を用いる方法等を使用することができる。
【０１０９】
図１５Ｂに示すように、各演出機能部３１が、センサ部３２からの出力値に基づいて、例えば、Ｚ方向に異なる長さで伸長する。
【０１１０】
例えば、演出機能部３１は、白色のスティックであり、各演出機能部３１の伸縮により、疑似的な噴水を演出することが可能である。例えば、風の吹き方に応じて、演出機能部３１の高さが変化するように制御することで、噴水の高さが経時的に変化する演出を実行することが可能である。
【０１１１】
本実施形態では、図１６に示すように、複数の演出機能部３１を、例えば、表示装置としてのパーソナルコンピュータやスマートフォンの画面４０に写し出し、このとき、疑似的な噴水を表す複数の演出機能部３１を、湖４２と山４３との静止画面上に合成する。
【０１１２】
ちょうど、複数の演出機能部３１が、静止画の湖畔上に並ぶように合成すると、各演出機能部３１の高さが伸縮することで、あたかも湖畔上から噴水が高さを変えながら噴き上がる動画を見ることができる。
【０１１３】
図１７は、別の画像表示の一例である。図１７では、三次元空間で、センサ部の出力値の演算処理に基づいて、複数の棒状の演出機能部５０が、高さ方向に伸縮したり、或いは、ＸＹ平面の各格子点（点線で示す交点）上を移動するように制御してもよい。
【０１１４】
図１７の実施形態では、例えば、ＸＹマトリクスの最端の一列にセンサ部があり、各センサ部の出力値を用いて所定の演算処理を行い、得られた演算値に基づいて、各演出機能部５０の動作状態を制御することができる。
【０１１５】
図１７では、風情報を基に、三次元的に変化する動的な演出を画像表示することができる。
【０１１６】
また、本実施形態では、複数の演出機能部は、第一の演出機能部と第二の演出機能部を含む構成とすることができる。そして、センサ部にて検出された出力値を用いて、第一の演出機能部と第二の演出機能部とが異なる動作状態に制御することができる。
【０１１７】
一例であるが、第一の演出機能部は、センサ部にて検出された出力値そのものを用いて動作制御される部分であり、第二の演出機能部は、センサ部にて検出された出力値を所定方法で演算処理して得られた演算値を用いて動作制御される部分である。或いは、第一の演出機能部と第二の演出機能部とで異なる演算処理を行うこともできる。これにより、第一の演出機能部と第二の演出機能部とで異なる演出を可能とし、バリエーションに富む演出が可能になる。
【０１１８】
また、図１７に示す棒状の演出機能部５０の高さが変化する等の動的な演出と共に、光や色等が変化する演出を組み合わせることができる。
【０１１９】
本実施形態における「演出装置」とは、センサ部の出力値に基づいて、動作状態が変化する装置を指し、「動作状態」とは、演出機能部が、所定の演出動作を実行可能な状態を指す。「演出動作」には、動的な演出、光演出、音演出等を例示できるが、特に限定されるものではない。
【０１２０】
上記では、センサ部２が風速センサであったが、風速以外の物理量変化を用いた表示装置にも適用することができる。例えば、ガス流や、水等の液体を対象とした流速変化を用いた表示装置であってもよい。或いは、流速以外に、温度変化、湿度変化、及び、圧力変化等の表示装置であってもよい。
【産業上の利用可能性】
【０１２１】
本発明における表示装置や演出装置は、センサ部にて検出された出力値に基づいて、光や色が変化する演出、動的な演出、音演出等、様々な演出に使用することができ、各種イベントで好ましく適用できる。また、センサ部の数を極力を減らすことができ、低コストで、優れたエンターテイメント性を発揮可能な表示装置及び演出装置を実現することができる。
【符号の説明】
【０１２２】
１、１０、２５      ：表示装置
２、３２      ：センサ部
３      ：表示部
１１    ：制御ボックス
１２    ：パーソナルコンピュータ
１３    ：流速検知用抵抗素子
１４    ：温度補償用抵抗素子
１８    ：ブリッジ回路
２３    ：差動増幅器
２４    ：フィードバック回路
３０    ：演出装置
３１、５０    ：演出機能部
４０    ：画面
【図１】
2019197090.tif 000013
【図２】
2019197090.tif 000014
【図３】
2019197090.tif 000015
【図４】
2019197090.tif 000016
【図５】
2019197090.tif 000017
【図６】
2019197090.tif 000018
【図７】
2019197090.tif 000019
【図８】
2019197090.tif 000020
【図９】
2019197090.tif 000021
【図１０】
2019197090.tif 000022
【図１１】
2019197090.tif 000023
【図１２】
2019197090.tif 000024
【図１３】
2019197090.tif 000025
【図１４】
2019197090.tif 000026
【図１５】
2019197090.tif 000027
【図１６】
2019197090.tif 000028
【図１７】
2019197090.tif 000029